(57)【特許請求の範囲】
【請求項１】
透水性のトップシート(２)と非透水性のバックシート(３)の間に体液吸収体(４)を配置した生理用品(１)において、長手方向に沿う両側縁を内側に折り返して袋状側縁(５)を形成したバックシート(３)に、前記トップシート(２)の周縁を体液吸収体(４)の外周において対接させて、長手方向に沿う側縁部(８)と短手方向に沿う端縁部(９)とからなる周縁部(10)を形成し、内股と接触する側縁部(８)の外周端を非加熱融着部とし、該非加熱融着部を除く両シート(２)(３)の周縁部(10)を加熱融着したことを特徴とする生理用品。
【請求項２】
体液吸収体及びトップシートの重合前にバックシートの側縁を内側に折り返して該折り返し縁をバックシートと体液吸収体の間に挟み込んだことを特徴とする請求項１に記載の生理用品。
【請求項３】
体液吸収体の重合後トップシートの重合前にバックシートの側縁を内側に折り返して該折り返し縁を体液吸収体とトップシートの間に挟み込んだたことを特徴とする請求項１に記載の生理用品。
【請求項４】
体液吸収体及びトップシートの重合後にバックシートの側縁を内側に折り返して該折り返し縁をトップシートの側縁表面に重合させたことを特徴とする請求項１に記載の生理用品。
【請求項５】
折り返しにより形成されたバックシートの袋状側縁の内部にひも状をなす弾性体を挟持させたことを特徴とする請求項１乃至４のいずれかに記載の生理用品。
【請求項６】
体液吸収体が、破砕パルプの集合体と高分子吸収物質を保持した吸収体の積層物からなることを特徴とする請求項１乃至５のいずれかに記載の生理用品。
【発明の詳細な説明】
【０００１】
【発明の属する技術分野】
この発明は、内股に当たる両サイド部の肌当りの柔らかさを実現して装着時に懸念される不快感を取り除くことができる生理用品に関する。
【０００２】
【従来の技術】
従来の生理用品としては、図１４及び図１５に示したように、透水性のトップシート(ａ)と非透水性のバックシート(ｂ)の間に体液吸収体(ｃ)を配置し、両シート(ａ)(ｂ)の周縁を体液吸収体(ｃ)の外周において対接させて加熱融着した後に、外周をカットして所定の製品形態とするようにしたものが知られている(図１４中、網かけ部分は加熱融着部を示している)。
【０００３】
しかしながら、このようにトップシート(ａ)とバックシート(ｂ)を加熱融着した場合は、融着により両シート(ａ)(ｂ)の周縁が硬化してしまう。従って、加熱融着後に外周をカットして整形した場合においても、製品の着用時に硬くなった側縁部が内股に当って不快感をもたらしてしまう可能性があった。
【０００４】
【発明が解決しようとする課題】
この発明は、内股に当たる両側縁部の肌当りを柔らかくして着用時の不快感を回避することができる生理用品を提供せんとするものである。
【０００５】
【課題を解決するための手段】
上記課題を解決するためにこの発明が採った手段は、長手方向に沿う両側縁を内側に折り返して袋状側縁(５)を形成したバックシート(３)に、前記トップシート(２)の周縁を体液吸収体(４)の外周において対接させて、長手方向に沿う側縁部(８)と短手方向に沿う端縁部(９)とからなる周縁部(10)を形成し、内股と接触する側縁部(８)の外周端を非加熱融着部とし、該非加熱融着部を除く両シート(２)(３)の周縁部(10)を加熱融着したことを特徴とする。
【０００７】
更にこの発明は、体液吸収体及びトップシートの重合前にバックシートの側縁を内側に折り返して該折り返し縁をバックシートと体液吸収体の間に挟み込み、或いは、体液吸収体の重合後トップシートの重合前にバックシートの側縁を内側に折り返して該折り返し縁を体液吸収体とトップシートの間に挟み込み、若しくは、体液吸収体及びトップシートの重合後にバックシートの側縁を内側に折り返して該折り返し縁をトップシートの側縁表面に重合させることができるものであり、折り返しにより形成されたバックシートの袋状側縁の内部にひも状をなす弾性体を挟持させることができる。体液吸収体は、破砕パルプの集合体と高分子吸収物質を保持した吸収体の積層物からなる。
【０００８】
【発明の実施の形態】
以下に図を参照しつつ、この発明の好ましい実施の形態を詳細に説明する。この発明にかかる生理用品の好ましい第１実施形態を示す図１〜図５において(１)はこの発明に係る生理用品を示し、透水性のトップシート(２)と非透水性のバックシート(３)の間に体液吸収体(４)を配置してなり、全体として略長方形に形成される。尚、トップシート(２)は着用者の肌に心地よい密着感を与える不織布等の材料で形成され、表面に排出された体液を透過して内部の体液吸収体(４)に移動させることができる。又、バックシート(３)は体液吸収体(４)に吸収された体液の漏出を防止し得るポリエチレンシート等の樹脂シートで構成され、外面には生理用品(１)を下着に取り付けるための粘着剤等を塗布している。
【０００９】
この発明はかかる生理用品(１)を構成するに際して、バックシート(３)の長手方向に沿う両側縁を内側に折り返して袋状側縁(５)を形成している。そして、バックシート(３)とトップシート(２)の周縁を体液吸収体(４)の外周において対接させるとともに、図１に網かけ部分で示したように、少なくとも内股との接触部の外周端を除外した側縁及び短手方向に沿う端縁において両シート(２)(３)を加熱融着することにより、両シート(２)(３)の間に体液吸収体(４)を保持させている。
【００１０】
従って、両シート(２)(３)の加熱融着によって融着部が硬くなったとしても、着用者の内股に当たる側縁の一部外周端においては加熱融着が行なわれないために肌当たりの柔らかさが確保される。このために、着用時は非融着部が内股に当たることになり、装着時に懸念される不快感が回避される。
【００１１】
尚、上記実施形態においては、内股との接触部分においては外周端を残した内側のみを狭い幅で融着して両シート(２)(３)のはがれを予防しているが、内股との接触部分を挟む側縁の融着によって体液吸収体(４)を確実に位置決め保持させることができる場合は、内股に当たる部分の全域を非融着とすることもできる。
【００１２】
又、第１実施形態においては両シート(２)(３)を体液吸収体(４)の全周において加熱融着しているが、側縁の加熱融着を省略することもできる。すなわち、図６は、前記加熱融着を省略した例を示したものであり、この例においては長手方向に沿う両側縁は加熱融着せず、短手方向に沿う端縁においてのみ両シート(２)(３)を加熱融着している。従って、この実施形態においては、両シート(２)(３)の側縁を全く加熱融着していないために、着用時は必ず融着されていない側縁が内股に当たることになる。このために、着用位置にズレが発生した場合にも万一にも硬くなった融着部が内股に当たることがなく、不快感をもたらすおそれがない。
【００１３】
尚、この実施例のように側縁の融着を省略した場合は体液吸収体(４)の位置ズレ或いは体液吸収体に吸収された体液の漏れが懸念されるが、非融着となるバックシート(３)の側縁を内側に折り返した袋状側縁(５)としているために、体液吸収体(４)の位置ズレ防止機能及び体液吸収体(４)に吸収された体液の漏出防止機能が低下するおそれはない。
【００１４】
上記第１及び第２の実施形態においては、いずれもトップシート(２)の幅をバックシート(４)の幅より狭くしているが、図７に示した第３実施形態のように両シート(２)(３)を同一幅にしてもよい。
【００１５】
更に、上記第１〜第３実施形態においてはいずれもバックシート(３)の両側縁を内側に折り返した後に体液吸収体(４)及びトップシート(２)を重合させてバックシート(３)の折り返し縁をバックシート(３)と体液吸収体(４)の間に挟み込むことにより、バックシート(３)に重ねた体液吸収体(４)の重量でバックシートの折り返し縁を押え込んで折り返し縁の戻りを防止するようにし、もって、折り返しによる生産効率の低下を防止するようにしているが、折り返しの時点は上記実施形態のものに限定されない。
【００１６】
即ち、図８に示した第４実施形態のように体液吸収体(４)を重合させた後にバックシート(３)の両側縁を内側に折り返し、その後トップシート(２)を重合させてバックシート(３)の折り返し縁を体液吸収体(４)とトップシート(２)の間に挟み込むことによっていわゆるヨコ漏れ防止効果を高くし、或いは、図(９)に示した第５実施形態のように体液吸収体(４)及びトップシート(２)を重合した後にバックシート(３)の側縁を内側に折り返してその折り返し縁をトップシート(２)の側縁表面に重合させてヨコ漏れ防止効果をより高くすることもできる。
【００１７】
図１０はこの発明にかかる生理用品の好ましい第６実施形態を示したものである。この第６実施形態においては、折り返しにより形成されたバックシート(３)の袋状側縁(５)の内部にひも状をなす弾性体(６)を挟持させたことにより、弾性体(６)の収縮作用を利用して立体ギャザーを形成することができるようにしている。従って第６実施形態による場合は、着用時はバックシート(３)の側縁に弾性体(６)の収縮作用によって立体ギャザーが形成されるために、より効果的なヨコ漏れ防止効果が得られる。図１１から１３は、この発明の吸収体の好ましい変形を示したものであり、主として破砕パルプの集合体からなる吸収体(４)の上部に高分子吸収体を保持した破砕パルプの両面に吸収紙をサンドイッチした吸収体(７)を配置したものである。該吸収体(７)は、破砕パルプの吸収体(４)の中央部にこれより若干小さい面積で配置される。
【００１８】
尚、実施形態においてはいずれもこの発明を生理用品に適用した場合について説明しているが、おりものシート又は失禁パッド等にもこの発明を適用することができる。
【００１９】
【発明の効果】
請求項(１)及び請求項(２)に記載の発明によれば、バックシートの両側縁をそれぞれ内側に折り返して袋状側縁を形成したうえで、内股との接触部を除外してトップシートとバックシートを加熱融着したものであるから、内股に当たる両サイド部の肌当りの柔らかさが確保され、着用の不快感が回避される。
【００２０】
又請求項(３)に記載の発明によれば体液吸収体による押え込み作用を利用してバックシートの折り返し縁の戻りを防止することができるために、折り返しによる生産効率の低下を防止することができる。
【００２１】
更に請求項(４)及び請求項(５)に記載の発明によれば、バックシートの折り返しにより形成された袋状側縁に体液吸収体の側縁を位置させることができるために、ヨコ漏れ防止効果を高くすることができるものであり、請求項(６)に記載の発明によれば、バックシートの袋状側縁で立体ギャザーを形成することができるために、より高いヨコ漏れ防止効果を得ることができる。
【図面の簡単な説明】
【図１】  この発明に係る生理用品の好ましい第１実施形態を示す平面図
【図２】  図１に示した第１実施形態の加熱融着する前の状態を示す断面図
【図３】  図１に示した第１実施形態の加熱融着前の斜視図
【図４】  図１のＡ−Ａ線に沿う拡大断面図
【図５】  図１のＢ−Ｂ線に沿う拡大断面図
【図６】  側縁の加熱融着を省略した例を示す平面図
【図７】  この発明にかかる生理用品の好ましい第３実施形態を示す平面図
【図８】  この発明にかかる生理用品の好ましい第４実施形態を示す平面図
【図９】  この発明にかかる生理用品の好ましい第５実施形態を示す平面図
【図１０】  この発明にかかる生理用品の好ましい第６実施形態を示す平面図
【図１１】  この発明にかかる生理用品の吸収体の好ましい一変形を示す平面図
【図１２】  図１１に示した実施形態の加熱融着する前の状態を示す断面図
【図１３】  図１１に示した実施形態の加熱融着前の斜視図
【図１４】  生理用品の従来例を例示する平面図
【図１５】  図１１に示した従来例の加熱融着前の断面図
【符号の説明】
(１)生理用品
(２)トップシート
(３)バックシート
(４)体液吸収体
(５)袋状側縁
(６)弾性体
(７)高分子吸収物質を保持した吸収体
(８)側縁部
(９)端縁部
(10)周縁部
【図１】
0003746883.tif 000002
【図２】
0003746883.tif 000003
【図３】
0003746883.tif 000004
【図４】
0003746883.tif 000005
【図５】
0003746883.tif 000006
【図６】
0003746883.tif 000007
【図７】
0003746883.tif 000008
【図８】
0003746883.tif 000009
【図９】
0003746883.tif 000010
【図１０】
0003746883.tif 000011
【図１１】
0003746883.tif 000012
【図１２】
0003746883.tif 000013
【図１３】
0003746883.tif 000014
【図１４】
0003746883.tif 000015
【図１５】
0003746883.tif 000016